(57)【特許請求の範囲】
【請求項１】
液透過性のトップシートと液不透過性シートとの間に吸収体が介在されるとともに、この吸収体の前後方向少なくとも一方側に延び出る延出部を備えた、使い捨ておむつにおいて、
前記延出部は、身体に接触する最内層が前記トップシートではなく、前記トップシートとは別体の吸汗シートにより構成されており、かつ、
前記吸汗シートは、汗を吸収すると外面側からの色が変化するものであり、
この吸汗シートより製品外面側の層に、複数の貫通孔が形成されており、
この貫通孔を通して前記吸汗シートの色が視認可能である、
ことを特徴とする使い捨ておむつ。
【請求項２】
前記外面側層は、複数のシート状資材が貼り合わされて形成されているものであり、この複数のシート状資材のうち内面側に位置する内面側シート状資材のウエスト側端縁が前記吸汗シートのウエスト側端部より股間側に位置している、請求項１記載の使い捨ておむつ。
【請求項３】
前記吸汗シートは、汗を吸収すると外面側からの色が変化する層を複数積層してなるものである、請求項１又は２に記載の使い捨ておむつ。
【請求項４】
前記外面側層は、酸化チタン含有量が０〜１重量％の不織布により形成されている、請求項１〜３のいずれか１項に記載の使い捨ておむつ。
【請求項５】
前記ウエスト部弾性伸縮部材は、酸化チタン含有量が３重量％以下である、請求項１〜４のいずれか１項に記載の使い捨ておむつ。
【請求項６】
前記吸汗シートは、高吸収性ポリマーを含有する層と、汗との接触により熱を吸収する冷却物質を含む層を含む複数層からなる積層体であり、前記高吸収性ポリマーを含有する層が、前記冷却物質を含む層よりも肌側に位置する面に位置するよう構成されている、請求項１〜５のいずれか１項に記載の使い捨ておむつ。
【請求項７】
幅方向中央に沿って下腹部から股間部を通り臀部までを覆うように延在する部分であって、且つ身体側表面を形成する透液性トップシートと、外面側に位置する液不透過性シートとの間に吸収体が介在されてなる内装体と、
この内装体の外面に張り付けられ、内装体のウエスト側にそれぞれ延出する部分であって、且つ吸収体を有しない部分である延出部を有する外装シートと、を備えており、
前記外装シートの延出部が前記吸汗シートからなる最内層、外面側層及びウエスト部弾性伸縮部材を有しており、且つ前記吸汗シートの下端部が前記内装体のウエスト側端部までを覆うように延在している、請求項１〜６のいずれか１項に記載の使い捨ておむつ。
【請求項８】
幅方向中央に沿って下腹部から股間部を通り臀部までを覆うように延在する部分であって、且つ身体側表面を形成する透液性トップシートと、外面側に位置する液不透過性シートとの間に吸収体が介在する部分である吸収性本体部と、
前記透液性トップシート及び液不透過性シートが前記吸収性本体部のウエスト側に延出して形成された部分であって、且つ吸収体を有しない部分である延出部と、を有しており、
前記延出部から前記吸収性本体部のウエスト側端部にわたる部分に、前記吸汗シートからなる最内層、外面側層及びウエスト部弾性伸縮部材を有しており、前記外面側層が前記透液性トップシートにより形成されている、請求項１〜６のいずれか１項に記載の使い捨ておむつ。
【発明の詳細な説明】
【技術分野】
【０００１】
本発明は、ウエスト側端部に吸汗シートを備えた使い捨ておむつに関するものである。
【背景技術】
【０００２】
使い捨ておむつの多くは、幅方向中央に沿って下腹部から股間部を通り臀部までを覆うように延在する部分であって、且つ身体側表面を形成する透液性トップシートと、外面側に位置する液不透過性シートとの間に吸収要素が介在する部分である吸収性本体部と、この吸収性本体部の前側及び後側に延出する部分であって、且つ吸収要素を有しない部分である腹側及び背側延出部とを有している。いわゆる止着式（テープ式）のものでは、背側の両側部にファスニング片がそれぞれ設けられており、これらファスニング片を腹側外面に係止することで装着を行い、パンツ型のものでは背側の両側部と腹側の両側部とがそれぞれ接合され、ウエスト開口部及び脚開口部が予め形成されており、脚開口部に脚を通して胴回りまで引き上げることにより装着を行う。
使い捨ておむつにおいては、背側上端部及び腹側上端部からなる胴回り部分が肌により密着するため、この部分において発汗し易くなり、蒸れによる不快感や、おむつかぶれをもたらすことがある。そこで、これを解決するために、背側上端部及び腹側上端部の少なくとも一方の内面に吸汗シートを貼り付けることが提案されている。（例えば特許文献１参照）。
【特許文献１】特開２０００−１８９４５４号公報
【発明の開示】
【発明が解決しようとする課題】
【０００３】
しかしながら、従来のものは一般的な構造のおむつに対して単に吸汗シートを付加しただけであったため、汗を吸うことはできるものの、吸汗シートを付加した部分において資材積層数の増加により蒸れ易くなるという問題点があった。
そこで、本発明の主たる課題は、吸汗機能を付加しつつ蒸れ難い使い捨ておむつを提供することにある。
【課題を解決するための手段】
【０００４】
上記課題を解決した本発明は次記のとおりである。
＜請求項１記載の発明＞
液透過性のトップシートと液不透過性シートとの間に吸収体が介在されるとともに、この吸収体の前後方向少なくとも一方側に延び出る延出部を備えた、使い捨ておむつにおいて、
前記延出部は、身体に接触する最内層が前記トップシートではなく、前記トップシートとは別体の吸汗シートにより構成されており、かつ、
前記吸汗シートは、汗を吸収すると外面側からの色が変化するものであり、
この吸汗シートより製品外面側の層に、複数の貫通孔が形成されており、
この貫通孔を通して前記吸汗シートの色が視認可能である、
ことを特徴とする使い捨ておむつ。
【０００５】
（作用効果）
使い捨ておむつでは、パンツ型はもちろんのことテープ式のものにおいても、ウエスト側端部を身体にフィットさせるために、ウエスト側端部を構成するシート状資材層の間にウエスト部弾性伸縮部材を挟んで固定することが一般的となっている。本発明は、この構造を利用し、ウエスト部弾性伸縮部材を挟持固定する内面側のシート状資材層を、最内層をなす吸汗シートで構成し、ウエスト部弾性伸縮部材の固定専用のシート状資材層の数を減らすことにより、吸汗機能を付加しつつも、蒸れ易くなるのを防止したものである。
また、従来の吸汗シートは、汗を吸収するだけのものであったため、装着者が実際に発汗したかどうかまでは判らず、不快感の解消やかぶれ等の防止を図り難いという問題点があった。しかし、本項記載のように、吸汗シートが汗を吸収したときに色変化を起すように構成すれば、おむつ外面からその色変化を視認することにより発汗の有無等を知ることができ、不快感の解消やかぶれ等の防止を図ることができるようになる。特に、外面側層における吸汗シートと重なる部分に複数の貫通孔を形成する場合において、貫通孔の位置が吸汗シートの色変化部分と重なる位置にあると、汗を吸収した吸汗シートの色変化を、おむつ外面から視認し易くなるため好ましい。
【０００６】
【０００７】
【０００８】
【０００９】
【００１０】
＜請求項２記載の発明＞
前記外面側層は、複数のシート状資材が貼り合わされて形成されているものであり、この複数のシート状資材のうち内面側に位置する内面側シート状資材のウエスト側端縁が前記吸汗シートのウエスト側端部より股間側に位置している、請求項１記載の使い捨ておむつ。
【００１１】
（作用効果）
このような構造を採用することにより、外面側層内の資材間に胴回り部弾性伸縮部材を挟持できる構造でありながら、ウエスト側端部におけるシート状資材層数を更に減らすことができるようになり、本発明の蒸れ防止効果がより一層のものとなる。特に、吸汗シートが汗を吸収すると外面側からの色が変化するものである場合においては、吸汗シートの色変化をおむつ外面から視認し易くなるため好ましい。
【００１２】
＜請求項３記載の発明＞
前記吸汗シートは、汗を吸収すると外面側からの色が変化する層を複数積層してなるものである、請求項１又は２に記載の使い捨ておむつ。
【００１３】
（作用効果）
このような構造を有していると、発汗量が少ない場合には汗が外側の層まで到達せず、色変化の発生する層数が少なくなり、反対に発汗量が多い場合には汗がより外側の層まで到達し、色変化の発生する層数が多くなるため、発汗量の多少により吸汗シート全体としての色変化に違いが出るようになる。よって、本項記載の発明によれば発汗の程度を判別できるようになる。
【００１４】
＜請求項４記載の発明＞
前記外面側層は、酸化チタン含有量が０〜１重量％の不織布により形成されている、請求項１〜３のいずれか１項に記載の使い捨ておむつ。
【００１５】
（作用効果）
ウエスト側端部を構成するシート状資材としては不織布が広く採用されており、不透明度や白色度を上げるために原料繊維中に酸化チタンを含有するものが広く採用されている。しかし、外面側層に不織布を用いる場合において酸化チタン含有量が高過ぎると、吸汗シートの色変化が視認し難くなる。よって、外面側層に不織布を用いる場合にはその酸化チタン含有量が本項記載の範囲内にあるのが好ましい。
【００１６】
＜請求項５記載の発明＞
前記ウエスト部弾性伸縮部材は、酸化チタン含有量が３重量％以下である、請求項１〜４のいずれか１項に記載の使い捨ておむつ。
【００１７】
（作用効果）
ウエスト部弾性伸縮部材としては、合成ゴム（ポリウレタン樹脂）が広く採用されており、不透明度や白色度を上げるため、あるいは糸状ゴムの場合は紡糸性を向上させるために原料樹脂中に酸化チタンを含有するものが広く採用されている。しかし、酸化チタン含有量が高過ぎると、吸汗シートの色変化の視認の妨げとなる。よって、ウエスト部弾性伸縮部材として合成ゴムを用いる場合には、その酸化チタン含有量が本項記載の範囲内にあるのが好ましい。そして、このように透明度が高いと、弾性伸縮部材内部の光の乱反射により、インジケータの色彩がより鮮やかに視認できるようにもなるため、好ましい。
【００１８】
＜請求項６記載の発明＞
前記吸汗シートは、高吸収性ポリマーを含有する層と、汗との接触により熱を吸収する冷却物質を含む層を含む複数層からなる積層体であり、前記高吸収性ポリマーを含有する層が、前記冷却物質を含む層よりも肌側に位置する面に位置するよう構成されている、請求項１〜５のいずれか１項に記載の使い捨ておむつ。
【００１９】
（作用効果）
従来の吸汗シートは、伸縮性を要する部位に取り付けられるため、吸収体のような高目付で嵩高のものは使用できず、吸収量には限界があった。これを補うために、本項記載のように、汗との接触により熱を吸収する冷却物質を吸汗シートに含有させ、発汗を抑制するのは、好ましい構成である。さらに、高吸収性ポリマーを含有する層が肌側に配置されていると、冷却物質により冷却された汗を肌近傍に止め、冷却効果の持続性を向上させることができる。
【００２０】
＜請求項７記載の発明＞
幅方向中央に沿って下腹部から股間部を通り臀部までを覆うように延在する部分であって、且つ身体側表面を形成する透液性トップシートと、外面側に位置する液不透過性シートとの間に吸収体が介在されてなる内装体と、
この内装体の外面に張り付けられ、内装体のウエスト側にそれぞれ延出する部分であって、且つ吸収体を有しない部分である延出部を有する外装シートと、を備えており、
前記外装シートの延出部が前記吸汗シートからなる最内層、外面側層及びウエスト部弾性伸縮部材を有しており、且つ前記吸汗シートの下端部が前記内装体のウエスト側端部までを覆うように延在している、請求項１〜６のいずれか１項に記載の使い捨ておむつ。
【００２１】
（作用効果）
パンツ型使い捨ておむつのように外装シートの内面に内装体を有する構造では、吸汗シートの下端部が内装体のウエスト側端部までを覆うように延在していると、内装体のウエスト側端部と外装シートとの段差による装着感の悪化を抑えつつ、上述した本発明の作用効果を発揮させることができるため好ましい。
【００２２】
＜請求項８記載の発明＞
幅方向中央に沿って下腹部から股間部を通り臀部までを覆うように延在する部分であって、且つ身体側表面を形成する透液性トップシートと、外面側に位置する液不透過性シートとの間に吸収体が介在する部分である吸収性本体部と、
前記透液性トップシート及び液不透過性シートが前記吸収性本体部のウエスト側に延出して形成された部分であって、且つ吸収体を有しない部分である延出部と、を有しており、
前記延出部から前記吸収性本体部のウエスト側端部にわたる部分に、前記吸汗シートからなる最内層、外面側層及びウエスト部弾性伸縮部材を有しており、前記外面側層が前記透液性トップシートにより形成されている、請求項１〜６のいずれか１項に記載の使い捨ておむつ。
【００２３】
【００２４】
（作用効果）
テープ式使い捨ておむつのように、透液性トップシート及び液不透過性シートが吸収性本体部のウエスト側に延出して形成された延出部を有する形態では、本項記載のように、延出部から吸収性本体部のウエスト側端部にわたる部分に、吸汗シートからなる最内層、外面側層及びウエスト部弾性伸縮部材を有し、且つ外面側層が透液性トップシートにより形成されている構造にすると、ウエスト部弾性伸縮部材によって延在部及び吸収性本体部のウエスト側端部までの部分が装着者の腰に弾性的にフィットするようになるとともに、上述した本発明の作用効果を発揮させることができるため好ましい。
【発明の効果】
【００２５】
以上のとおり、本発明によれば、吸汗機能を付加しつつ蒸れ難い使い捨ておむつとなる、等の利点がもたらされる。
【発明を実施するための最良の形態】
【００２６】
以下に、止着式とパンツ型の使い捨て紙おむつの形態について順に説明する。以下の説明において、「前後方向」とは腹側（前側）と背側（後側）を結ぶ方向を意味し、「幅方向」とは前後方向と直交する方向（左右方向）を意味し、「上下方向」とはおむつの装着状態、すなわちおむつの腹側（前側）の両側部と背側（後側）両側部とを重ね合わせるようにおむつを股間部で２つに折った際に胴回り方向と直交する方向、換言すればウエスト側と股間部側とを結ぶ方向を意味する。
【００２７】
＜止着式使い捨ておむつの一形態＞
図１〜図３は止着式使い捨ておむつの一例を示している。図２及び図３は、図１における２−２線断面及び３−３線断面をそれぞれ示した図である。この止着式使い捨ておむつは、幅方向中央に沿って下腹部から股間部を通り臀部までを覆うように延在する部分であって、且つ身体側表面を形成する透液性トップシート３０と、外面側に位置する液不透過性シート１１との間に吸収体５６が介在する部分である吸収性本体部１０と、この吸収性本体部１０の前側及び後側にそれぞれ延出する部分であって、且つ吸収体５６を有しない部分である腹側延出部ＦＥ及び背側延出部ＢＥとを有するものである。
【００２８】
また、この止着式使い捨ておむつは、腹側Ｆの上縁Ｆ１側部分の両側において、それぞれ股間部Ｃよりも幅方向外側まで延在する一対の腹側サイドフラップ部ＦＦ，ＦＦと、背側Ｂの上縁Ｂ１側部分の両側において、それぞれ股間部Ｃよりも幅方向外側まで延在する一対の背側サイドフラップ部ＢＦ，ＢＦとを備えている。また、背側サイドフラップ部ＢＦ，ＢＦには、係止部材としてのファスニング片１３０がそれぞれ設けられている。
【００２９】
より詳細には、吸収性本体部１０ならびに背側および腹側の各サイドフラップ部ＢＦ，ＦＦの外面全体が外装シート１２により形成されている。特に、吸収性本体部１０においては、外装シート１２の内面側に液不透過性シート１１がホットメルト接着剤等の接着剤により固定され、さらにこの液不透過性シート１１の内面側に吸収要素５０、中間シート４０、およびトップシート３０がこの順に積層されている。トップシート３０および液不透過性シート１１は図示例では長方形であり、吸収要素５０よりも前後方向および幅方向において若干大きい寸法を有しており、トップシート３０における吸収要素５０の側縁より食み出る周縁部と、液不透過性シート１１における吸収要素５０の側縁より食み出る周縁部とがホットメルト接着剤などにより固着されている。また液不透過性シート１１は透湿性のポリエチレンフィルム等からなり、トップシート３０よりも若干幅広に形成されている。
【００３０】
さらに、この吸収性本体部１０の両側には、装着者の肌側に突出（起立）する側部バリヤーカフス６０，６０が設けられており、この側部バリヤーカフス６０，６０を形成するバリヤーシート６２，６２が、背側および腹側の各サイドフラップ部ＢＦ，ＦＦの内面を含め、吸収性本体部１０の幅方向外側の全体にわたり延在されている。
【００３１】
以下、各部の素材および特徴部分について順に説明する
（外装シート）
外装シート１２は吸収要素５０を支持し、着用者に装着するための部分である。外装シート１２は、両側部の前後方向中央部が括れた砂時計形状とされており、ここが着用者の脚を入れる部位となる。
【００３２】
外装シート１２としては不織布が好適であるが、これに限定されない。不織布の種類は特に限定されず、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布１２相互をホットメルト接着剤等により接着するのが好ましい。不織布を用いる場合、その繊維目付けは１０〜５０ｇ／ｍ2、特に１５〜３０ｇ／ｍ2のものが望ましい。
【００３３】
（トップシート）
トップシート３０は液透過性を有するものであれば足り、例えば、有孔又は無孔の不織布や、多孔性プラスチックシートなどを用いることができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００３４】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００３５】
（中間シート）
トップシート３０を透過した排泄物を吸収体へ移動させ、逆戻りを防ぐために、トップシート３０と吸収要素５０との間に中間シート（セカンドシートもいわれる）４０を設けることができる。この中間シート４０は、排泄物を速やかに吸収体へ移行させて吸収体による吸収性能を高めるばかりでなく、吸収した排泄物の吸収体からの逆戻りを防止し、トップシート３０表面を肌触りを良くするものである。中間シート４０は省略することもできる。
【００３６】
中間シート４０としては、トップシート３０と同様の素材を用いることができる。中間シート４０はトップシート３０に接合するのが好ましく、その接合にヒートエンボスや超音波溶着を用いる場合は、中間シート４０の素材はトップシート３０と同程度の融点をもつものが好ましい。また、便中の固形分を透過させることを考慮するならば中間シート４０に用いる繊維の繊度は５．０〜７．０ｄｔｅｘであるのが好ましいが、トップシート３０における液残りが多くなる。これに対して、中間シート４０に用いる繊維の繊度が１．０〜２．０ｄｔｅｘであると、トップシート３０の液残りは発生し難いが、便の固形分が透過し難くなる。よって、中間シート４０に用いる不織布の繊維は繊度が２．０〜５．０ｄｔｅｘ程度とするのが好ましい。
【００３７】
図示の形態の中間シート４０は、吸収要素５０の幅より短く中央に配置されているが、全幅にわたって設けてもよい。中間シート４０の長手方向長さは、おむつの全長と同一でもよいし、吸収要素５０の長さと同一でもよいし、液を受け入れる領域を中心にした短い長さ範囲内であってもよい。
【００３８】
（側部バリヤーカフス）
トップシート３０上を伝わって横方向に移動する尿や軟便を阻止し、横漏れを防止するために、製品の両側に、使用面側に突出（起立）する側部バリヤーカフス６０、６０を設けるのは好ましい。
【００３９】
この側部バリヤーカフス６０は、実質的に幅方向に連続するバリヤーシート６２と、このバリヤーシート６２に前後方向に沿って伸張状態で固定された細長状弾性伸縮部材６３とにより構成されている。このバリヤーシート６２としては撥水性不織布を用いることができ、また弾性伸縮部材６３としては糸ゴム等を用いることができる。弾性伸縮部材は、図１及び図２に示すように各複数本設ける他、各１本設けることができる。
【００４０】
バリヤーシート６２は、トップシート３０の側部上に幅方向の固着始端を有し、この固着始端から幅方向外側の部分は、液不透過性シート１１の側部およびその幅方向外側に位置する外装シート１２の側部にホットメルト接着剤などにより固着されている。この固着部分のうち固着始端近傍の幅方向外側において、バリヤーシート６２と外装シート１２とが対向する部分のシート間に、前後方向に沿って糸ゴム等からなる脚周り弾性伸縮部材６４がそれぞれ設けられている。
【００４１】
脚周りにおいては、側部バリヤーカフス６０の固着始端より幅方向内側は、製品前後方向両端部ではトップシート３０上に固定されているものの、その間の部分は非固定の自由部分であり、この自由部分が糸ゴム６３の収縮力により起立するようになる。おむつの、装着時には、おむつが舟形に体に装着されるので、そして糸ゴム６３の収縮力が作用するので、糸ゴム６３の収縮力により側部バリヤーカフス６０が起立して脚周りに密着する。その結果、脚周りからのいわゆる横漏れが防止される。
【００４２】
図示形態と異なり、バリヤーシート６２の幅方向内側の部分における前後方向両端部を、幅方向外側の部分から幅方向内側に延在する基端側部分とこの基端側部分の幅方向中央側の端縁から身体側に折り返され幅方向外側に延在する先端側部分とを有する二つ折り状態で固定し、その間の部分を非固定の自由部分とすることもできる。
【００４３】
（吸収要素）
吸収要素５０は、尿や軟便などの液を吸収保持する部分である。吸収要素５０は、吸収体５６と、この吸収体５６の少なくとも裏面及び側面を包む包被シート５８とを有している。包被シート５８は省略することもできる。吸収要素５０は、その裏面においてホットメルト接着剤等の接着剤を介して液不透過性シート１１の内面に接着することができる。
【００４４】
（吸収体）
吸収体５６は、繊維５２，５２の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。
【００４５】
（高吸収性ポリマー粒子）
吸収体５６は、図２に示すように高吸収性ポリマー粒子５４，５４…を含むのが好ましく、特に、少なくとも液受け入れ領域において、繊維５２，５２…の集合体に対して高吸収性ポリマー粒子（ＳＡＰ粒子）が実質的に厚み方向全体に分散されているものが望ましい。
【００４６】
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維５２，５２…の集合体中に侵入しないでその表面に残存している形態や、一部のＳＡＰ粒子が繊維５２，５２…の集合体を通り抜けて包被シート５８上にある形態も排除されるものではない。
【００４７】
高吸収性ポリマー粒子５４とは、「粒子」以外に「粉体」も含む。高吸収性ポリマー粒子５４の粒径は、この種の吸収性物品に使用されるものをそのまま使用でき、１０００μｍ以下、特に１５０〜４００μｍのものが望ましい。高吸収性ポリマー粒子５４の材料としては、特に限定無く用いることができるが、吸水量が４０ｇ／ｇ以上のものが好適である。高吸収性ポリマー粒子５４としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子５４の形状としては、通常用いられる粉粒体状のものが好適であるが、他の形状のものも用いることができる。
【００４８】
高吸収性ポリマー粒子５４としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００４９】
高吸収性ポリマー粒子５４の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子５４の過剰によりジャリジャリした違和感を与えるようになる。
【００５０】
（包被シート）
包被シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
【００５１】
この包被シート５８は、図２のように、連続繊維５２，５２…の集合体及び高吸収性ポリマー粒子５４，５４…の層全体を包む形態のほか、その層の裏面及び側面のみを包被するものでもよい。また図示しないが、吸収体５６の上面及び側面のみをクレープ紙や不織布で覆い、下面をポリエチレンなどの液不透過性シートで覆う形態、吸収体５６の上面をクレープ紙や不織布で覆い、側面及び下面をポリエチレンなどの液不透過性シートで覆う形態などでもよい（これらの各素材が包被シートの構成要素となる）。必要ならば、連続繊維５２，５２…の集合体及び高吸収性ポリマー粒子５４，５４…の層を、上下２層のシートで挟む形態や下面のみに配置する形態でもよいが、高吸収性ポリマー粒子の移動を防止でき難いので望ましい形態ではない。
【００５２】
（ファスニング片）
ファスニング片１３０は、不織布、プラスチックフィルム、ポリラミ不織布、紙やこれらの複合素材からなるファスニング基材１３０Ｃの基部がおむつに取り付けられており、おむつから突出する先端側部分に腹側に対する係止部として、メカニカルファスナーのフック要素１３０Ａが設けられている。フック要素１３０Ａはファスニング基材１３０Ｃに接着剤により剥離不能に接合されている。
【００５３】
本発明を適用するのが特に好ましい、水様便、軟便を頻繁に排泄する新生児〜１２ヶ月程度までの乳幼児用おむつにおいては、ファスニング片１３０の取り付け部分の寸法のうち、おむつの幅方向の長さは１０〜５０ｍｍ、特に２０〜４０ｍｍであるのが好ましく、前後方向長さは、２０〜１００ｍｍ、特に４０〜８０ｍｍであるのが好ましい。また、ファスニング片１３０の先端側部分の寸法のうち、おむつの幅方向の長さは３０〜８０ｍｍ、特に４０〜６０ｍｍであるのが好ましく、前後方向の長さは２０〜７０ｍｍ、特に２５〜５０ｍｍであるのが好ましい。なお、ファスニング片１３０の一部または全部が例えば略テーパ形状をなし、前後方向長さや幅方向長さが一定でない場合は、上記数値範囲は平均値にて定める。ファスニング片１３０の形状は、矩形形状などの左右対称形状でもよいが、幅広の取り付け部分と細長状の先端側部分からなる凸型形状であると、先端側部分の摘み部が摘みやすく、かつ左右の基部間の張力が広範囲に作用するため、好ましい。フック要素１３０Ａは、その外面側に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。フック要素１３０Ａに代えて、ファスニング片１３０の係止部として粘着材層を設けることもできる。
【００５４】
おむつの装着に際しては、背側サイドフラップ部ＢＦを腹側サイドフラップ部ＦＦの外側に重ねた状態で、ファスニング片を腹側Ｆ外面の適所に係止する。ファスニング片１３０の係止箇所の位置及び寸法は任意に定めることができる。新生児〜１２ヶ月程度までの乳幼児用おむつにおいては、係止箇所は、前後方向２０〜８０ｍｍ、幅方向１５０〜３００ｍｍの矩形範囲とし、その上端縁と腹側上縁Ｆ１との高さ方向離間距離を０〜６０ｍｍ、特に２０〜５０ｍｍとし、かつ製品の幅方向中央とするのが好ましい。
【００５５】
腹側Ｆにおけるファスニング片１３０の係止箇所には、係止を容易にするためにターゲットテープ７４を設けるのが好ましい。ターゲットテープ７４は、係止部がフック要素１３０Ａの場合、フック要素の係合突起が絡まるようなループ糸が表面に多数設けられたものを用いることができ、また粘着材層の場合には粘着性に富むような表面が平滑なフィルム状のものを用いることができる。
【００５６】
また、腹側Ｆにおけるファスニング片１３０の係止箇所が不織布からなる場合、例えば図示形態の外装シート１２が不織布からなる場合であって、ファスニング片１３０の係止部がフック要素１３０Ａの場合には、ターゲットテープ７４を省略し、フック要素１３０Ａを外装シート１２の不織布に絡ませて係止することもできる。
【００５７】
ファスニング片１３０は、背側延出部ＢＥと吸収要素５０の境界線上にファスニング片１３０の取り付け部分が重なるように取り付けられていると、おむつ装着時に左右のファスニング片１３０の取り付け部分間に働く張力により、吸収要素５０の背側端部がしっかりと体に押し当てられるため、好ましい。また、ファスニング片１３０の取り付け部分が、おむつの背側端部（後端部）と離れすぎていると、おむつ装着時に左右のファスニング片１３０の取り付け部分間に働く張力がおむつの背側端部にまで及ばないため、おむつの背側端部と身体表面との間に隙間が生じやすい。従って、背側延出部ＢＥの前後方向長さは、ファスニング片１３０の基部の前後方向長さと同じか又は短いことが好ましい。
【００５８】
（延出部）
延出部は、吸収性本体部１０の前側及び後側にそれぞれ延出する部分であって、且つ吸収体５６を有しない部分であり、前側の延出部分が腹側延出部ＦＥであり、後側の延出部分が背側延出部ＢＥである。
【００５９】
背側延出部ＢＥの前後方向長さは、ファスニング片１３０の取り付け部分の前後方向長さと同じか短い寸法とすることが好ましく、また、おむつ背側端部と吸収体５６とが近接しすぎると、吸収体５６の厚みとコシによりおむつ背側端部と身体表面との間に隙間が生じやすいため、１０ｍｍ以上とすることが好ましい。
【００６０】
腹側延出部ＦＥ及び背側延出部ＢＥの前後方向長さは、おむつ全体の前後方向長さＬの５〜２０％程度とするのが好ましく、本発明を適用するのが特に好ましい、水様便、軟便を頻繁に排泄する新生児〜１２ヶ月程度までの乳幼児用おむつにおいては、１０〜６０ｍｍ、特に２０〜５０ｍｍとするのが適当である。
【００６１】
（背側伸縮部）
特徴的には、おむつ背側部におけるフィット性を向上させるために、背側のウエスト側端部における両側部バリヤーカフス６０，６０間に、幅方向に弾性伸縮する背側伸縮部が設けられており、この背側伸縮部に対して本発明が適用されている。すなわち、背側のウエスト側端部における両側部バリヤーカフス６０，６０間の部分は、幅方向に沿って延在する帯状の吸汗シート２０からなる最内層と、この最内層の外面側に位置するトップシート３０、液不透過性シート１１、外装シート１２からなる外面側層と、これら最内層２０と外面側層３０，１１，１２との間に幅方向沿って伸張した状態で挟持固定されたウエスト部弾性伸縮部材２１とを有している。符号ＨＭは、吸汗シート２０及びトップシート３０を接合し、ウエスト部弾性伸縮部材２１を固定するためのホットメルト接着剤等の接着剤を示している。この接着剤ＨＭは、例えばスパイラル塗布やスロット塗布により塗布されるものである。
【００６２】
吸汗シート２０は肌に接触して汗を吸収する、保水性を有するものである。吸汗シート２０は、表面シート３０よりも保水量が高いもの、特に保水量が１．５倍以上のものが好ましく、具体的な保水量としては、１．０ｇ／１００ｃｍ2以上であるものが好ましく、３．０ｇ／１００ｃｍ2以上であるものがより好ましく、５．０ｇ／１００ｃｍ2以上であるものが特に好ましい。なお、保水量の測定は、ＪＩＳ  Ｌ  １９０６附属書の「３．２  保水率」に基づき測定し、湿潤前後の重量差を保水量とする。なお、試験液とする水の温度は、３５℃のものを用いる。
【００６３】
吸汗シート２０は、吸汗機能を有するシートであれば不織布、紙、樹脂フィルムなど特に限定されないが、不織布が好適である。不織布を構成する繊維としては、親水性の繊維や、パルプ、レーヨン、コットン、セルロースアセテート等のセルロース繊維や、いわゆる高吸水性ポリマー（ＳＡＰ）を繊維状にしたあるいは通常の繊維と複合させたＳＡＰ繊維といった、いわゆる吸汗繊維が特に好適である。また、高吸収性ポリマー粒子を層間に含有させたシートとしてもよい。不織布の場合、前記吸汗繊維を５０％以上、好ましくは７０％以上含むものが好ましく、繊維の繊度は１．０〜５．０ｄｔｅｘ、繊維の目付けは１０〜１００ｇ／ｍ2、厚みは０．１〜５．０ｍｍ程度のものが好適である。吸汗シート２０は、幅方向よりも上下方向の液拡散性に優れたシートであることが好ましい。これにより、吸汗シートが吸収した汗を非接着部分の広い上側に輸送し、効率よく放湿することができる。具体的には、繊維を主に上下方向に配向したり、上下方向に連続した無数の細かな溝を設けたり、親水度を上側に向かって高くしたりすることにより、上下方向の（特に上側に向けての）優れた液拡散性が得られる。また、吸汗シート２０に吸収された汗によって着用者の肌が長時間湿った状態にさらされることがないよう、吸汗シート２０を複数層からなる構造とし、その肌に接する層を、撥水性や疎水性の不織布あるいは穴あきフィルムとすると、吸汗シート２０から肌への液の戻りを防止することができるため、好ましい。吸汗シート２０の形状は適宜定めることができ、図示形態のような長方形状とする他、楕円状、長円状、瓢箪状等を採用することができる。
【００６４】
吸汗シート２０の寸法も適宜定めることができる。特に図示形態では、吸汗シート２０が背側延出部ＢＥの上端部から吸収性本体部１０のウエスト側端部まで延在しており、延出部ＢＥのみならず吸収体本体部１０と重なる部分においても、吸汗シート２０とトップシート３０との間にウエスト部弾性伸縮部材２１が挟持固定された伸縮構造を有しているが、吸汗シート２０及びウエスト部弾性伸縮部材２１は背側延出部ＢＥ内に収まるように構成されていても良い。また、おむつ幅方向においては、吸汗シート２０及びウエスト部弾性伸縮部材２１の両端は、両ファスニング片１３０の取り付け部分と重なる部位まで延在されており、トップシート３０の幅方向両側では吸汗シート２０とバリヤーシート６２との間にウエスト部弾性伸縮部材２１が挟持固定されているが、これに限定されるものではなく、例えばトップシート３０と同幅にすることもできる。
【００６５】
ウエスト部弾性伸縮部材２１としては、合成ゴムを用いても、天然ゴムを用いても良く、図示のような細長状（糸状又は紐状等）のものの他、有孔シート状、網状等のものも用いることができる。ウエスト部弾性伸縮部材２１として細長状（糸状又は紐状等）のものを用いる場合、太さ４２０〜１１２０ｄｔｅｘのものを３〜１０ｍｍの間隔２１ｄで５〜１５本程度設けるのが好ましい。また、ウエスト部弾性伸縮部材２１は１５０〜２５０％程度の伸張状態で固定されているのが好ましい。
【００６６】
また、ウエスト部弾性伸縮部材２１は一部が吸収体５６を横断するように配置されていると、吸収体５６のフィット性が向上するため好ましいが、この場合、ウエスト部弾性伸縮部材２１のうち吸収体５６と重なる部分の一部又は全部を、切断等の手段により収縮力が働かないようにすると、吸収体５６の背側端部が幅方向に縮まないため、フィット性がさらに向上する。
【００６７】
なお、上記例においては、弾性伸縮部材２１は吸汗シート２０とトップシート３０との間に挟持固定したが、吸汗シート２０と同じ寸法の弾性伸縮部材押さえ用のシート（以下押さえシートと呼ぶ）を用い、吸汗シート２０と押さえシートとの間に弾性伸縮部材２１を挟持固定した背側伸縮シートを形成し、これをおむつ背側部に配置するようにすると、紙おむつ製造時において、おむつ背側部に背側伸縮部を構成する各部材を順次取付けて背側伸縮部を形成する製造方法だけでなく、予め背側伸縮シートを形成する製造方法を採ることもできるようになり、製造工程の自由度が向上するため、好ましい。また、押さえシートは、吸汗シート２０と一体的に吸汗機能を発揮できるように、液透過性のシートであることが好ましく、前述のような吸汗機能を有するシートであることが特に好ましい。
【００６８】
このような背側伸縮部においては、ウエスト部弾性伸縮部材２１を挟持固定する内面側のシート状資材層を、最内層をなす吸汗シート２０で構成し、ウエスト部弾性伸縮部材２１の固定専用のシート状資材層の数を減らすことにより、吸汗機能を付加しつつも蒸れ難くなり、また資材コストも低減することができるようになる。他の応用例については後述する。
【００６９】
＜パンツ型使い捨ておむつの一形態＞
図４〜図１２は、パンツ型使い捨ておむつの一例を示している。このパンツ型使い捨ておむつは、装着者の胴回りのうち腹側を覆う腹側外装シート１２Ｆと背側を覆う背側外装シート１２Ｂとを有しており、腹側外装シート１２Ｆの幅方向両側縁の接合部１２Ａと背側外装シート１２Ｂの幅方向両側縁の接合部１２Ａとが、ヒートシールや超音波溶着等により接合されて筒状の胴回り部１００が形成されているものである。図示形態のように、背側外装シート１２Ｂが接合部１２Ａよりも下側に延出している場合には、この部分までを含む上下方向範囲に一体的にヒートシール等の加工を施し、背側カバー部１４に延出溶着部１２Ｅを設けることができる。延出溶着部１２Ｅを設けることにより、後述する背側カバー部１４の第２の細長状弾性伸縮部材１６の引き込みを防止することができる。この場合、脇部の破りやすさを考慮して、接合部１２Ａは小さな溶着部の集合からなり、接合部１２Ａにおける溶着面積の比率が低い接合パターンとすることが一般的であるが、延出溶着部１２Ｅでは破りやすさを考慮する必要が無いため、溶着パターンは接合部１２Ａよりも溶着面積の比率を高くすることにより第２の細長状弾性伸縮部材１６が確実に溶着固定されるようにしてもよい。また、延出溶着部１２Ｅは臀部カバー部１４Ｃの縁部をカーブしたラインで溶着し、臀部カバー部１４Ｃの第２の細長状弾性伸縮部材１６の引き込みを防止することもできる。
【００７０】
また、胴回り部１００における腹側外装シート１２Ｆの幅方向中央部内面に内装体２００の前端部がホットメルト接着剤等により連結されるとともに、背側外装シート１２Ｂの幅方向中央部内面に内装体２００の後端部がホットメルト接着剤等により連結されており、腹側外装シート１２Ｆと背側外装シート１２Ｂとが股間側で連続しておらず、離間されている。この離間距離Ｙは１５０〜２５０ｍｍ程度とすることができる。
【００７１】
図１１及び図１２からも判るように、胴回り部１００の上部開口は、装着者の胴を通すウエスト開口部ＷＯとなり、内装体２００の幅方向両側において胴回り部１００の下縁および内装体２００の側縁によりそれぞれ囲まれる部分が脚を通す脚開口部ＬＯとなる。各接合部１２Ａを剥がして展開した状態では、図４に示すように砂時計形状をなす。内装体２００は、背側から股間部を通り腹側までを覆うように延在するものであり、排泄物を受け止めて液分を吸収し保持する部分であり、胴回り部１００は内装体２００を装着者に対して支持する部分である。
【００７２】
（外装シート）
腹側外装シート１２Ｆ及び背側外装シート１２Ｂは、図７及び図８にも示すように内装体２００の外面に固定された部分と、内装体２００のウエスト側にそれぞれ延出する部分であって、且つ吸収体５６を有しない部分である延出部ＢＥ，ＦＥとを有するものであり、不織布等のシート状資材１２，１２を２枚貼り合せて形成されるとともに、胴回りに対するフィット性を高めるために、両シート状資材１２，１２間に糸ゴム等の細長状の胴回り部弾性伸縮部材１５，１６，１９が所定の伸張率で設けられているものである。これらのシート状資材１２はウエスト開口部ＷＯの縁までしか延在していない。
【００７３】
特徴的には、腹側外装シート１２Ｆ及び背側外装シート１２Ｂの両者において、延出部ＢＥ，ＦＥが、幅方向に沿って延在する帯状の吸汗シート２０からなる最内層と、この最内層の外面側に位置する外装シート１２Ｆ，１２Ｂからなる外面側層と、これら最内層２０と外面側層１２Ｆ，１２Ｂとの間に幅方向沿って伸張した状態で挟持固定されたウエスト部弾性伸縮部材１７，１８とを有している。符号ＨＭは、吸汗シート２０及びトップシート３０を接合し、ウエスト部弾性伸縮部材１７，１８を固定するためのホットメルト接着剤等の接着剤を示している。この接着剤ＨＭは、例えばスパイラル塗布やスロット塗布により塗布されるものである。
【００７４】
吸汗シート２０としては、基本的に、止着式の形態で例示したものを用いることができる。ただし、パンツ型使い捨ておむつの場合、図示のように腹側の幅方向両側部１２Ａと背側の両側部１２Ａとが溶着により接合される形態が広く採用されているため、このような形態において、吸汗シート２０が溶着による接合部に位置する場合に、吸汗シート２０も含めて溶着する必要を生ずる。よって、このような場合には、吸汗シート１２Ａとして熱融着性繊維を２０〜５０％程度含む不織布を用いるのが好ましい。
【００７５】
特に図示形態では、吸汗シート２０が延出部ＢＥ，ＦＥの上端から内装体２００のウエスト側端部まで延在しているが、吸汗シート２０は延出部ＢＥ，ＦＥ内に収まるように構成されていても良い。また、おむつ幅方向においては、吸汗シート２０及びウエスト部弾性伸縮部材１７，１８の両端は、おむつの両側縁まで延在されているが、これに限定されるものではなく、例えば内装体２００の幅方向両側縁と接合部１２Ａ内装体２００との間までしか延在させなくても良い。
【００７６】
このように、ウエスト部弾性伸縮部材１７，１８を挟持固定する内面側のシート状資材層を、最内層をなす吸汗シート２０で構成し、ウエスト部弾性伸縮部材１７，１８の固定専用のシート状資材層の数を減らすことにより、吸汗機能を付加しつつも蒸れ難くなり、また資材コストも低減することができるようになる。他の応用例については後述する。
【００７７】
外装シート１２Ｆ，１２Ｂを構成するシート状資材１２としては特に限定されないが、不織布であるのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その坪量は１０〜３０ｇ／ｍ2程度とするのが好ましい。また、胴回り部及びウエスト部弾性伸縮部材１５〜１９としては、合成ゴムを用いても、天然ゴムを用いても良く、図示のような細長状（糸状又は紐状等）のものの他、有孔シート状、網状等のものも用いることができる。
【００７８】
より詳細には、背側外装シート１２Ｂは、接合部１２Ａと同じ上下方向範囲を占める背側本体部１３と、この背側本体部１３の下側に延出する背側カバー部１４とを有している。背側カバー部１４は、内装体２００と重なる幅方向中央部１４Ｍと、その両側に延出した臀部カバー部１４Ｃとを有している。
【００７９】
背側カバー部１４の形状は適宜定めることができるが、図示例では、背側カバー部１４の上端部は、背側本体部１３と同幅で背側本体部１３の下側に延出されており、その下側は股間側に近づくにつれて幅が狭められている。背側本体部１３と同幅の部分は省略することもできる。このように構成されていると、臀部カバー部１４Ｃの幅方向外側の縁１４ｅが、股間側に近づくにつれて内装体２００側に近づくような直線状または曲線状をなすようになり、臀部を覆い易い形状となる。
【００８０】
背側カバー部１４の寸法は適宜定めることができるが、図９に示すように、臀部カバー部１４Ｃの幅方向長さ１４ｘ（臀部カバー部１４Ｃの幅方向外側の縁１４ｅと内装体２００の側縁との幅方向の最大離間距離）が８０〜１６０ｍｍであり、臀部カバー部１４Ｃの上下方向の長さ１４ｙ（延出長さ）が３０〜８０ｍｍであると、より好ましい。また、背側カバー部１４の幅方向に最も広い部位と上下方向に最も広い部位により定まる四角形の面積をＳとすると、背側カバー部１４の面積はＳに対して２０〜８０％、特に４０〜６０％程度であると、臀部の外観および装着感に優れるため、好ましい。
【００８１】
背側本体部１３は、上下方向において概念的にウエスト部Ｗと、これよりも下側の下側部分Ｕとに分けることができ、その範囲は製品のサイズによって異なるが、一般に、ウエスト部Ｗの上下方向長さは１５〜８０ｍｍ、下側部分Ｕの上下方向長さは３５〜２２０ｍｍとすることができる。
【００８２】
背側本体部１３のウエスト部Ｗにおける外装シート１２Ｆ，１２Ｂと吸汗シート２０との間には、幅方向全体にわたり連続するように、複数の背側ウエスト部弾性伸縮部材１７が上下方向に間隔を空けて、かつ所定の伸張率で幅方向に沿って伸張された状態で固定されている。また、背側ウエスト部弾性伸縮部材１７のうち、背側本体部１３の下側部分Ｕに隣接する領域に配設される１本または複数本については、内装体２００と重なっていてもよいし、内装体２００と重なる幅方向中央部を除いてその幅方向両側にそれぞれ設けてもよい。この背側ウエスト弾性伸縮部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸張率１５０〜４００％、特に２２０〜３２０％程度で固定するのが好ましい。また、背側ウエスト部弾性伸縮部材１７は、その全てが同じ太さと伸張率にする必要はなく、例えば背側ウエスト部の上部と下部で弾性伸縮部材の太さと伸張率が異なるようにしてもよい。この背側ウエスト部弾性伸縮部材１７は、第１及び第２の細長状弾性伸縮部材１５，１６に対して太さや伸張率の大小関係無く、自由に定めることができる。
【００８３】
また、背側本体部１３の下側部分Ｕにおける内側シート状資材１２の外側面と外側シート状資材１２の内側面との間には、内装体２００と重なる幅方向中央部を除いて、その上側および幅方向両側の各部位に、幅方向全体にわたり連続するように、複数の第１の細長状弾性伸縮部材１５が上下方向に間隔を空けて、かつ所定の伸張率で幅方向に沿って伸張された状態で固定されている。
【００８４】
第１の細長状弾性伸縮部材１５としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸張率２００〜３５０％、特に２４０〜３００％程度で固定するのが好ましい。
【００８５】
また、背側カバー部１４における内側シート状資材１２の外側面と外側シート状資材１２の内側面との間においては、内装体２００と重なる幅方向中央部を除いて、その幅方向両側の各部位に、幅方向全体にわたり（少なくとも臀部カバー部１４Ｃ全体にわたり）連続するように、複数の第２の細長状弾性伸縮部材１６が上下方向に間隔を空けて、かつ所定の伸張率で幅方向に沿って伸張された状態で固定されている。
【００８６】
第２の細長状弾性伸縮部材１６としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度、それぞれ伸張率１５０〜３００％、特に１８０〜２６０％で固定するのが好ましい。
【００８７】
一方、腹側外装シート１２Ｆは背側外装シート１２Ｂの背側本体部１３と基本的に同様の腹側本体部（接合部１２Ａと同じ上下方向範囲を占める部分）のみからなるものであり、胴回り方向に沿って延在する矩形状をなし、背側外装シート１２Ｂのような背側カバー部１４を有していないものである。
【００８８】
すなわち、腹側外装シート（腹側本体部）１２Ｆのウエスト部Ｗおよび下側部分Ｕのうち、ウエスト部Ｗにおける外装シート１２Ｆ，１２Ｂと吸汗シート２０との間には、幅方向全体にわたり連続するように、複数の腹側ウエスト部弾性伸縮部材１８が上下方向に間隔を空けて、かつ所定の伸張率で幅方向に沿って伸張された状態で固定されている。この腹側ウエスト部弾性伸縮部材１８は、背側ウエスト部弾性伸縮部材１７に対して、本数、太さ、伸張率、間隔、及び上下方向配置をできるだけ近づけるのが好ましいが、異ならしめることもでき、異ならしめる場合、本数の差は１０本以下、好ましくは５本以下、太さの差は１８８０ｄｔｅｘ以下、好ましくは４７０ｄｔｅｘ以下、伸張率の差は１００％以下、好ましくは４０％以下、間隔の差は１０ｍｍ以下、好ましくは５ｍｍ以下である。
【００８９】
また、腹側外装シート１２Ｆ（腹側本体部）の下側部分Ｕにおける内側シート状資材１２の外側面と外側シート状資材１２の内側面との間には、内装体２００と重なる幅方向中央部を除いて、その上側および幅方向両側の各部位に、幅方向全体にわたり連続するように、複数の第３の細長状弾性伸縮部材１９が上下方向に間隔を空けて、かつ所定の伸張率で幅方向に沿って伸張された状態で固定されている。第３の細長状弾性伸縮部材１９の上下方向配設範囲は、下側部分の一部としても良いが、実質的に全体（全体に伸縮力が作用する範囲）とするのが好ましい。
【００９０】
第３の細長状弾性伸縮部材１９としては、第１の細長状弾性伸縮部材１５と、本数、太さ、伸張率、間隔、及び上下方向配置をできるだけ近づけるのが好ましいが、異ならしめることもでき、異ならしめる場合、本数の差は１０本以下、好ましくは５本以下、太さの差は１８８０ｄｔｅｘ以下、好ましくは４７０ｄｔｅｘ以下、伸張率の差は１００％以下、好ましくは４０％以下、間隔の差は１０ｍｍ以下、好ましくは５ｍｍ以下である。
【００９１】
図示形態の腹側外装シート１２Ｆは、接合部１２Ａと同じ上下方向範囲を占める部分のみからなるものとしたが、背側と同様に、接合部１２Ａと同じ上下方向範囲を占める腹側本体部と、この腹側本体部の下側に延出する腹側延出部とからなる構成とすることもできる。これにより、腹側外装シート１２Ｆの脚周り形状を鼠蹊部に沿ってフィットする形状とすることができる。この場合、腹側延出部の面積は、背側延出部の面積の１０〜８０％であるのが好ましく、２０〜５０％であるとより好ましい。腹側延出部が過度に大きいと、かえってフィット性を損なうため好ましくない。
【００９２】
他方、図示のように、第１、第２及び第３の細長状弾性伸縮部材１５、１６及び１９が、内装体２００と重なる幅方向中央部を除いてその幅方向両側にそれぞれ設けられていると、内装体と外装シートが剥れにくいため好ましいが、この形態には、幅方向両側にのみ弾性伸縮部材が存在する形態の他、内装体２００を横切ってその幅方向一方側から他方側まで弾性伸縮部材が存在しているが、内装体２００と重なる幅方向中央部では弾性伸縮部材が切断され、伸縮力が作用しない（実質的には、弾性伸縮部材を設けないことに等しい）ように構成されている形態も含まれる。また、背側本体部１３および背側カバー部１４の幅方向全体にわたり伸縮力が作用するように、第１、第２及び第３の細長状弾性伸縮部材１５、１６及び１９の一部または全部を、内装体２００を横切ってその幅方向一方側から他方側まで設けることもできる。
【００９３】
（内装体）
内装体２００は任意の形状を採ることができるが、図示の形態では長方形である。内装体２００は、図６に示されるように、身体側となる表面シート３０と、液不透過性シート１１と、これらの間に介在された吸収要素５０とを備えている。液不透過性シート１１の裏面側には、内装体２００の裏面全体を覆うように、あるいは腹側外装シート１２Ｆと背側外装シート１２Ｂとの間に露出する部分全体を覆うように、股間部外装シート１２Ｍを固定することもできる。また、表面シート３０を透過した液を速やかに吸収要素５０へ移行させるために、表面シート３０と吸収要素５０との間に、中間シート（セカンドシート）４０を設けることができる。さらに、吸収部２０の両脇に排泄物が漏れるのを防止するために、内装体２００の両側に、身体側に起立するバリヤーカフス６０，６１を設けることができる。なお、図示しないが、内装体２００の各構成部材は、ホットメルト接着剤などのベタ、ビードまたはスパイラル塗布などにより、適宜相互に固定することができる。また、内装体２００は、メカニカルファスナーや粘着材を用い、外装シート２０に対して着脱自在に取り付けることもできる。
【００９４】
なお、内装体２００の幅方向両側部、特に内装体２００の幅方向両側縁と腹側外装シート１２Ｆの下端縁との交点近傍及び背側外装シート１２Ｂの下端縁との交点近傍では、内装体２００の剛性（剛度）が１５〜５０ｃＮ／５０ｍｍ、特に２０〜３５ｃＮ／５０ｍｍであると、後述するようなバリヤーカフス６０，６１の全体的な起立形状が更に安定するため好ましい。一方、それ以外の部分、例えば幅方向中間部については柔軟性を考慮して、剛性を５〜３５ｃＮ／５０ｍｍ、好ましくは１０〜２５ｃＮ／５０ｍｍと低くするのが好ましい。なお、剛性を高くする範囲は、幅方向には内装体２００の幅方向両側縁から中央側に５〜３０ｍｍの範囲、前後方向には内装体２００と腹側外装シート１２Ｆ，背側外装シート１２Ｂの交点から前後方向にそれぞれ５０ｍｍ以内（吸収体５６の括れ部５６Ｎと重複する部分は含まない）とするのが好ましい。
【００９５】
剛性（剛度）は、ＪＩＳ Ｋ ７１７１（プラスチック‐曲げ剛性の試験方法）に準拠し、次の方法で測定する。測定にはテンシロン試験機（圧子先端部の曲率半径Ｒ１＝５．０±０．１ｍｍ、支持プレート先端部の曲率半径Ｒ２＝５．０±０．２ｍｍ）を用い、内装体２００の製品前後方向の曲げ剛性を測定する。試験片は、内装体２００から測定に影響する弾性伸縮部材を取り除き、これをおむつ長手方向８０ｍｍ、おむつ幅方向５０ｍｍの長方形に切り取ることにより作製する。曲げ剛性値の単位中の５０ｍｍは試験片の短辺の長さであり、試験時の圧子でたわませた試験片の幅である。それぞれ断面円弧状の先端部を有し、両先端部の先端（上端）間の間隔を５０ｍｍとして、互いに平行に且つ両先端部の高さ位置を揃えて配置された一対の支持プレート上に、上記の試験片を、その長手方向を各プレートに直交する方向に向けて、掛け渡すように載置し、その試験片に僅かに接するように圧子先端部を配置する。ロードセル５ｋｇ（レンジ１９６ｃＮ）、速度３０ｍｍ／ｍｉｎの条件で圧子を降下させ、荷重‐たわみ曲線を得る。得られた曲げ応力の最大値を曲げ剛性値（ｃＮ／５０ｍｍ）とする。なお、測定対象となる部位が上記サンプリング寸法より小さい場合は、小スケールの試験片で測定を行い、寸法比に基づいて比例計算にて換算する。
【００９６】
（表面シート）
表面シート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００９７】
また、表面シート３０は、１枚のシートからなるものであっても、２枚以上のシートを貼り合せて得た積層シートからなるものであってもよい。同様に、表面シート３０は、平面方向に関して、１枚のシートからなるものであっても、２枚以上のシートからなるものであってもよい。
【００９８】
バリヤーカフス６０，６１を設ける場合、表面シート３０の両側部は、液不透過性シート１１とバリヤーカフス６０，６１との間を通して、吸収要素５０の裏側まで回りこませ、液の浸透を防止するために、液不透過性シート１１及びバリヤーカフス６０，６１に対してホットメルト接着剤等により接着するのが好ましい。これにより、内装体２００の両側部の剛性が向上するという効果も得られる。
【００９９】
（中間シート）
表面シート３０を透過した液を速やかに吸収体へ移行させるために、表面シート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、表面シート３０上を常に乾燥した状態とすることができる。中間シート４０は省略することもできる。
【０１００】
中間シート４０としては、表面シート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【０１０１】
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。中間シート４０が幅方向側部から吸収体５６の裏面側まで回り込み、ホットメルト接着剤等により接着固定されていると、内装体２００の両側部の剛性が向上する。中間シート４０の代表的な素材は液の透過性に優れる不織布である。
【０１０２】
（液不透過性シート）
液不透過性シート１１の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に不透液性を確保した不織布（この場合は、防水フィルムと不織布とで液不透過性シートが構成される。）などを例示することができる。もちろん、このほかにも、近年、ムレ防止の観点から好まれて使用されている不透液性かつ透湿性を有する素材も例示することができる。この不透液性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂または疎水性樹脂や撥水剤の塗工といった方法により、防水フィルムを用いずに液不透過性としたシートも、液不透過性シート１１として用いることができる。
【０１０３】
液不透過性シート１１は、防漏性を高めるために、吸収要素５０の両側を回りこませて吸収要素５０の表面シート３０側面の両側部まで延在させるのが好ましい。これにより、内装体２００の両側部の剛性が向上するという効果も得られる。この延在部の幅は、左右それぞれ５〜２０ｍｍ程度が適当である。また、液不透過性シート１１を表面シート３０側面の両側部まで延在させる代わりに、バリヤーカフスに上記のような液不透過性のシートを取付けて、あるいは内在させて、側部の防漏性を高めても良い。
【０１０４】
また、液不透過性シート１１の内面または外面には、印刷や着色によるデザインを施しても良い。さらに液不透過性シート１１の外側に、股間部外装シート１２Ｍとは別部材の、印刷または着色を施したデザインシートを貼り付けても良い。また、液不透過性シート１１の内側に、液分の接触により模様及び色彩の少なくとも一方が変化する排泄インジケータ８０を設けることができる。
【０１０５】
（バリヤーカフス）
バリヤーカフス６０，６１は、内装体２００の両側部に沿って前後方向全体にわたり延在する帯状部材であり、表面シート３０上を伝わって横方向に移動する尿や軟便を遮断し、横漏れを防止するために設けられているものである。
【０１０６】
本形態では、図７及び図８にも示すように、内装体２００の左右各側において二重にバリヤーカフス６０，６１が設けられている。おむつを展開した状態では、図示のように、内側バリヤーカフス６１は内装体２００の側部から幅方向中央側に斜めに起立するものであり、外側バリヤーカフス６０は、内側バリヤーカフス６１の幅方向外側において内装体２００の側部から起立するように設けられ、付け根側の部分は幅方向中央側に向かって斜めに起立し、中間部より先端側の部分は幅方向外側に向かって斜めに起立するものである。
【０１０７】
より詳細には、内側バリヤーカフス６１は、内装体２００の前後方向長さに等しい長さを有する帯状のバリヤーシート６２を幅方向に折り返して二つに折り重ねるとともに、折り返し部分及びその近傍のシート間に、細長状弾性伸縮部材６３を長手方向に沿って伸張状態で、幅方向に間隔をあけて複数本固定してなるものである。細長状弾性伸縮部材６３は、バリヤーシート６２に対し、前後端部では固定されておらず、中間部においてバリヤーカフスが前後に伸縮するように固定されている。バリヤーシート６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2程度とするのが好ましい。細長状弾性伸縮部材６３としては糸ゴム等を用いることができる。スパンデックス糸ゴムを用いる場合は、太さは４２０〜１１２０ｄｔｅｘが好ましく、６２０〜９４０ｄｔｅｘがより好ましい。固定時の伸長率は、１５０〜３５０％が好ましく、２００〜３００％がより好ましい。また、図示しないが、二つに折り重ねたバリヤーシートの間に防水フィルムを介在させることもできる。
【０１０８】
細長状弾性伸縮部材６３は、内側バリヤーカフス６１の先端部に１〜２本配置するのが好ましく、先端部と基端部との間の中間部にも１〜２本配置すると更に好ましい。中間部に細長状弾性伸縮部材６３があると、これを支点として中間部から先端部に亘る範囲で肌に対して面で当たりやすくなる。中間部の細長状弾性伸縮部材６３の配置位置は内側バリヤーカフス６１の高さ（突出部の幅方向長さ）の３０〜７０％範囲が好ましい。乳幼児用紙おむつでは、内側バリヤーカフス６１の高さは１５〜３５ｍｍ程度が好ましいため、細長状弾性伸縮部材６３の配置範囲は先端から基端側に５〜２５ｍｍの位置が好ましく、１２〜１８ｍｍの位置がより好ましい。内側バリヤーカフス６１の先端部及び／または中間部にそれぞれ細長状弾性伸縮部材６３を平行に設ける場合は、その配置間隔６１ｄは２〜１０ｍｍが好ましく、２〜６ｍｍがより好ましい。
【０１０９】
そして、内側バリヤーカフス６１のうち幅方向において折り返し部分と反対側の端部は内装体２００の側縁部の裏面に固定された取付部分（内側取付部分）６５とされ、この取付部分６５以外の部分は取付部分６５から突出する突出部分６６（折り返し部分側の部分であり、内側突出部分に相当する）とされ、この突出部分６６のうち前後方向両端部が表面シート３０表面にホットメルト接着剤やヒートシールによる前後固定部６７により固定され、前後方向中間部が非固定の自由部分（内側自由部分）とされ、この自由部分に前後方向に沿う細長状弾性部材６３が伸張状態で固定されている。
【０１１０】
外側バリヤーカフス６０も、内側バリヤーカフス６１と基本的に同様の構造を有するものであるが、その取付部分（外側取付部分）６８が、内装体２００の裏面側における内側バリヤーカフス６１の取付部分６５よりも幅方向中央側において内側バリヤーカフス６１の外面に固定される点、突出部分（外側突出部分）６９のうち前後方向両端部が、取付部分６８から内装体２００の側部を通り内側バリヤーカフス６１における内側突出部分６６の前後方向両端部の表面まで延在し且つ内側突出部分６６の前後方向両端部の表面に固定された付け根側部分と、この付け根側部分の先端から幅方向外側に折り返され且つ付け根側部分に固定された先端側部分とからなる点、細長状弾性伸縮部材６３の配置及び本数等で異なるものである。
【０１１１】
ただし、内側バリヤーカフス６１についても、内側突出部分の先端部は幅方向外側に折り返される構造、具体的には内側バリヤーカフス６１の高さ（突出部の幅方向長さ）の１／２以下、好ましくは１／３以下であれば、外側バリヤーカフス６１と同様に先端側部分が幅方向外側に折り返され且つ付け根部側部分に固定される構造を採っても良い。
【０１１２】
外側バリヤーカフス６０の自由部分（外側自由部分）に設けられる細長状弾性伸縮部材６３の本数は２〜６本が好ましく、３〜５本がより好ましい。配置間隔６０ｄは３〜１０ｍｍが適当である。このように構成すると、細長状弾性伸縮部材６３を配置した範囲で肌に対して面で当たりやすくなる。先端側だけでなく付け根側にも細長状弾性伸縮部材６３を配置しても良い。外側バリヤーカフス６０に配置する細長状弾性伸縮部材６３の太さや伸長率は、内側バリヤーカフス６１に準ずるが、太さは内側バリヤーカフス６１のものと同じ、またはより太く、伸長率は内側バリヤーカフス６１のものと同じ、またはより低いほうが好ましい。
【０１１３】
また、突出部分６６，６９の前後固定部６７の前後方向長さは、内側バリヤーカフス６１の方が外側バリヤーカフス６０と同じかまたは短く形成するのが好ましく、バリヤーカフス６０，６１における細長状弾性伸縮部材６３の前後方向固定長さは、内側バリヤーカフス６１の方が外側バリヤーカフス６０と同じかまたは長く形成するのが好ましい。取付部分６５と突出部分６６との境界は、外側バリヤーカフス６０と内側バリヤーカフス６１とで同じ位置であっても良いが、外側バリヤーカフス６０の境界が内側バリヤーカフス６１の境界よりも幅方向中央側に離間しているのが好ましく、その離間距離は１０ｍｍ以内が好ましい。
【０１１４】
外側バリヤーカフス６０及び内側バリヤーカフス６１の取付部分６８，６５における突出部分６６，６９側の縁部には、ホットメルト接着剤やヒートシールによる線状の付け根固定部を形成するのが好ましい。また、他の固定部はホットメルト接着剤等を用いて適宜のパターンで固定することができる。この線状の付け根固定部は、内装体２００の表面側の側部近傍（具体的には側縁から幅方向に０〜５ｍｍ、好ましくは０〜３ｍｍの位置）または裏面側に位置するのが好ましい。この場合、バリヤーカフスを表面側に折り返して固定しているのは実質的に前後方向両端部のみとなるため、前後固定部６７による幅方向中央側への規制が十分に作用しない股間部においては、外側バリヤーカフス６０及び内側バリヤーカフス６１いずれもが幅方向外側に向かって起立し、内側バリヤーカフス６１の形成するポケットが広くなる。表面側で側縁から幅方向に５ｍｍを越えて線状の付け根固定部が位置すると、股間部においてもバリヤーカフスが幅方向中央側に向かって起立し、内側バリヤーカフス６１の形成するポケットが狭くなるため、好ましくない。裏面側に位置する場合は、内装体２００の側縁から０〜２０ｍｍの位置が適当だが、２０ｍｍを越えて位置してもよい。
【０１１５】
外側及び内側バリヤーカフス６０，６１の取付部分６８，６５の固定対象は、内装体２００における表面シート３０、液不透過性シート１１、吸収要素５０等適宜の部材とすることができ、またいずれか一方のバリヤーカフスを介して他方のバリヤーカフスを内装体２００に対して固定することもできる。
【０１１６】
かくして構成された外側及び内側バリヤーカフス６０，６１では、細長状弾性伸縮部材６３の収縮力が前後方向両端部を近づけるように作用するが、突出部分６６，６９のうち前後方向両端部が起立しないように固定されるのに対して、それらの間は非固定の自由部分とされているため、自由部分のみが図６に示すように身体側に当接するように起立する。特に、取付部分６８，６５が内装体２００の裏面側に位置していると、股間部及びその近傍において外側及び内側バリヤーカフス６０，６１が幅方向外側に開くように起立するため、外側及び内側バリヤーカフス６０，６１が脚周りに面で当接するようになり、フィット性が向上するようになる。一方、股間部の前後両側（腹部及び背部）においては、前後固定部６７により外側及び内側バリヤーカフス６０，６１が幅方向外側へ開かないように規制されるため、内側バリヤーカフス６１は高く起立し、外側バリヤーカフス６０の下半分も同様に起立するため、腹部及び背部における内装体２００両脇からのもれが確実に防止できる。また、内側バリヤーカフス６１の突出部分６６における前後固定部６７は折り返さずに、外側バリヤーカフス６０の突出部部分６８における前後固定部６７は外向きに折り返されているため、外側及び内側バリヤーカフス６０，６１における内側及び外側自由部分間の離間状態が維持され、外側及び内側バリヤーカフス６０，６１が広い間隔で確実に起立し、それぞれが脚周りにフィットするようになるため、漏れ防止性に優れたものとなる。
【０１１７】
バリヤーカフス６０，６１の寸法は適宜定めることができるが、乳幼児用紙おむつの場合は、例えば図１０に示すように、内側バリヤーカフス６１の起立高さ（展開状態における突出部分６６の幅方向長さ）Ｗ５は１０〜５０ｍｍ、特に１５〜３５ｍｍであるのが好ましく、外側バリヤーカフス６０の起立高さ（展開状態における突出部分６９の幅方向長さ）Ｗ６は１５〜６０ｍｍ、特に２０〜４０ｍｍであるのが好ましい。また、内側バリヤーカフス６１をトップシート３０表面に倒した状態における先端間の離間距離Ｗ４は６０〜１７０ｍｍ、特に７０〜１２０ｍｍであるのが好ましい。また、外側バリヤーカフス６０をトップシート３０表面と平行になるように、平坦に折り畳んだ状態において最も内側に位置する折り目間の離間距離Ｗ３は６０〜１９０ｍｍ、特に７０〜１４０ｍｍであるのが好ましい。
【０１１８】
なお、図示形態と異なり、外側及び内側バリヤーカフス６０，６１のいずれか一方のみを設けることもできる。
【０１１９】
（吸収要素）
吸収要素５０は、吸収体５６と、この吸収体５６の少なくとも裏面及び側面を包む包被シート５８とを有する。包被シート５８は省略することもできる。
【０１２０】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【０１２１】
吸収体５６は長方形形状でも良いが、図９にも示すように、前端部５６Ｆ、後端部５６Ｂ及びこれらの間に位置し、前端部５６Ｆ及び後端部５６Ｂと比べて幅が狭い括れ部５６Ｎとを有する砂時計形状を成していると、吸収体５６自体とバリヤーカフス６０，６１の、脚回りへのフィット性が向上するため好ましい。具体的な寸法としては、吸収体前端部５６Ｆの前後方向長さをＬ１とし、吸収体５６と腹側外装シート１２Ｆとの重なり部分における前後方向長さをＬ２とし、吸収体後端部５６Ｂの前後方向長さをＬ３とし、吸収体５６と背側外装シート１２Ｂとの重なり部分における前後方向長さをＬ４とし、括れ部５６Ｎの最小幅をＷ１とし、吸収体前端部５６Ｆの幅及び吸収体後端部５６Ｂの幅をＷ２としたとき、下記の式（１）〜（４）を満足するように構成されていると、好ましい。
７０ｍｍ  ≦  Ｗ１  ＜  Ｗ２  ≦  １９０ｍｍ  …（１）
０．５  ≦  Ｗ１／Ｗ２  ≦  ０．８５  …（２）
０ｍｍ  ≦  Ｌ１−Ｌ２  ≦  ７０ｍｍ  …（３）
０ｍｍ  ≦  Ｌ３−Ｌ４  ≦  ５０ｍｍ  …（４）
【０１２２】
Ｗ１及びＷ２が狭過ぎると、バリヤーカフス６０，６１の起立が不安定になり、また吸収量が不十分となり、広過ぎるとフィット性の低下により装着感が悪化する。
【０１２３】
また、上記数値範囲にあると、股間部においてはバリヤーカフス６０，６１の取付部分６５近傍に吸収体５６が存在しないため、バリヤーカフス６０，６１の動きの自由度が増し、バリヤーカフス６０，６１が幅方向外側に開き易く、肌に対して面で当たりやすくなり、脚の動きに対するフィット面の追従性も向上する。前後両側においては内装体２００側部の吸収体５６が十分な範囲に存在するため、これを基点（支点）としてバリヤーカフス６０，６１の起立が安定する。前後両側から股間部に至る部分は、バリヤーカフス６０，６１が内装体２００の幅方向両側縁を基準として幅方向内側に起立した姿勢から幅方向外側に開いていく変位部であり、このバリヤーカフス６０，６１の姿勢変化が内装体２００側部まで存在する吸収体５６により支えられ、バリヤーカフス６０，６１の全体的な起立形状が安定する。上記数値範囲を外れ、括れ部が大きくなりすぎると、股間部においてはバリヤーカフス６０，６１の自由度が高くなりすぎ、かえって脚周りに隙間ができ易くなるおそれがあり、また股間部の前後両側においても基点（支点）が無いためにバリヤーカフス６０，６１の起立が不安定になるおそれがある。逆に括れ部が小さくなりすぎると、バリヤーカフス６０，６１の自由度が低下するので好ましくない。
【０１２４】
さらに、括れ部５６Ｎ全体の前後方向長さＬ７は好ましくは８０ｍｍ以上、特に好ましくは１２０〜２６０ｍｍとされる。括れ部５６Ｎの前後方向長さＬ７が短過ぎるとバリヤーカフス６０，６１の自由度が低下するとともに、吸収体５６の脚周りに対するフィット性が低下して脚の動きを妨げるようになり、長すぎるとバリヤーカフス６０，６１の起立が安定しなくなる。
【０１２５】
（高吸収性ポリマー粒子）
高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【０１２６】
高吸収性ポリマーとしては、抗菌物質と一体化したものを用いることができる。特に、ゼオライト中のイオン交換可能なイオンの一部または全部を銀イオンで置換してなるゼオライト粒子（以下、これを抗菌消臭性ゼオライトという）を高吸収性ポリマー中に含有させるか、あるいは抗菌消臭性ゼオライト粒子を高吸収性ポリマー粒子の表面に静電気により付着させてなる、抗菌消臭性高吸収性ポリマー粒子が好適である。
【０１２７】
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
【０１２８】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【０１２９】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【０１３０】
必要であれば、高吸収性ポリマー粒子は、吸収体５６の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【０１３１】
（包被シート）
包被シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。目付けは、５〜４０ｇ／ｍ2、特に１０〜３０ｇ／ｍ2のものが望ましい。
【０１３２】
この包被シート５８は、図６に示すように、吸収体５６全体を包む形態のほか、その層の裏面及び側面のみを包被するものでもよい。また図示しないが、吸収体５６の上面及び側面のみをクレープ紙や不織布で覆い、下面をポリエチレンなどの液不透過性シートで覆う形態、吸収体５６の上面をクレープ紙や不織布で覆い、側面及び下面をポリエチレンなどの液不透過性シートで覆う形態などでもよい（これらの各素材が包被シートの構成要素となる）。必要ならば、吸収体５６を、上下２層のシートで挟む形態や下面のみに配置する形態でもよいが、高吸収性ポリマー粒子の移動を防止でき難いので望ましい形態ではない。
【０１３３】
（股間部外装シート）
内装体２００の裏面側には、製品外面に露出する股間部外装シート１２Ｍが設けられている。この股間部外装シート１２Ｍの素材としては、腹側外装シート１２Ｆ及び背側外装シート１２Ｂと同様のものを用いることができるが、より高強度の素材や消臭剤を含有するもの等、腹側外装シート１２Ｆ及び背側外装シート１２Ｂとは異なる素材を用いることもできる。具体的には、ＰＰ、ＰＰ／ＰＥ、ＰＰ／ＰＥＴ等の繊維からなる、スパンボンド不織布、メルトブロー不織布、ポイントボンド不織布、エアスルー不織布、エアーポイント不織布、スパンレース不織布、ＳＭＳ不織布等の各種不織布、あるいはこれに消臭剤等を添加したもの等を用いることができる。
【０１３４】
股間部外装シート１２Ｍには座位時に高い体圧がかかる。よって、摩擦堅牢度の高い（毛羽立たない）特性を有する素材が好ましい。
【０１３５】
股間部外装シート１２Ｍは、印刷や着色を行い、デザイン要素を備えたシートとしてもよい。前述のデザインシートと併用する場合は、それぞれのデザインが重ならないように配置することが好ましい。
【０１３６】
股間部外装シート１２Ｍとして伸縮不織布を用い、内装体２００の長手方向に伸長して貼り付けると、股間部のフィット性が向上するため好ましい。
【０１３７】
股間部外装シート１２Ｍが幅方向側部から身体側面まで回り込み、バリヤーシート６２の外面にホットメルト接着剤等により接着固定されていると、内装体２００の両側部の剛性が向上する。このような形態においては、股間部外装シート１２Ｍに剛度（コシ度）の高いシートを用いることが好ましい。具体的には、クラーク法（ＪＩＳＬ１０９６ Ｃ法）によって測定される剛軟度の、シートのＭＤ方向とＣＤ方向との和が１００ｍｍ以上、好ましくは１５０ｍｍ以上のシートを用いるとよい。
【０１３８】
図示例では、腹側及び背側外装シート１２Ｆ，１２Ｂと内装体２００とが重なる部分において、股間部外装シート１２Ｍは内装体２００と腹側及び背側外装シート１２Ｆ，１２Ｂとの間に挟まれているが、腹側及び背側外装シート１２Ｆ，１２Ｂの外側に貼り付けることも可能である。股間部外装シート１２Ｍは、ホットメルト接着剤等により内装体２００の裏面、並びに腹側及び背側外装シート１２Ｆ，１２Ｂの内面若しくは外面に貼り付けられる。
【０１３９】
＜吸汗シートの取付部分に関して＞
図１３に示すように、外面側層における吸汗シート２０と重なる部分に複数の貫通孔ｈが形成されていると通気性が向上し、本発明の蒸れ防止効果がより一層のものとなるとともに、後述する吸汗インジケータ機能を付加した場合にその色変化が視認し易くなるため好ましい。貫通孔ｈの大きさは特に限定しないが、１個の開口面積が１〜１０ｍｍ2であるのが好ましく、２〜７ｍｍ2であるのがより好ましい。また、貫通孔ｈの開口面積の合計が吸汗シート２０の総面積に対して占める割合は、１０〜７０％であるのが好ましく、２０〜５０％であるのがより好ましい。図１３に示す例は、上述したパンツ型使い捨ておむつの形態への適用例であるが、止着式の使い捨ておむつにおいても適用でき、この場合、トップシート３０、液不透過性シート１１、外装シート１２の少なくとも一つに貫通孔を形成することができる。
【０１４０】
また、図１３（ｂ）に示すように、外面側層が複数のシート状資材１２，１２が貼り合わされて形成されている場合、内面側に位置する内面側シート状資材のウエスト側端縁が吸汗シート２０のウエスト側端部より股間側に位置していると、ウエスト側端部におけるシート状資材層数を更に減らすことができるようになり、本発明の蒸れ防止効果がより一層のものとなるとともに、後述する吸汗インジケータ機能を付加した場合にその色変化が視認し易くなるため好ましい。図１３に示す例は、上述したパンツ型使い捨ておむつの形態への適用例であり、外面側層を構成するシート状資材間に胴回り部弾性伸縮部材１５，１９が挟まれて固定されているものであるが、止着式の使い捨ておむつにおいても適用でき、この場合、トップシート３０又は液不透過性シート１１の少なくとも一方におけるウエスト側端縁が吸汗シート２０のウエスト側端部より股間側に位置される。（ウエスト部の通気性向上の観点から、液不透過性シート１１のウエスト側端縁を、股間側に位置させるのがより好ましい。）
【０１４１】
また、図１４に示すように、背側外装シート１２Ｂをウエスト側端縁において内面側（肌側）に折り返し、この折り返し部分１２ｒの股間側端部により吸汗シート２０のウエスト側端部の内面を覆うように構成することもできる。この場合、腹側外装シート１２Ｆの幅方向両側部と背側外装シート１２Ｂの幅方向両側部とを溶着接合する際、それらの間に融着性に乏しい吸汗シート２０を挟んで溶着しても、特に強い力が加わるウエスト側端部では折り返し部分１２ｒの溶着により接合強度を確保できる。なお、図１４に示す例では、図１３（ｂ）に示す例と同様に、背側外装シート１２Ｂの内面側に位置する内面側シート状資材１２のウエスト側端縁が吸汗シート２０のウエスト側端部より股間側に位置しているが、これに限られるものではなく、図１３（ａ）に示す例と同様に、内面側シート状資材１２のウエスト側端縁が背側外装シート１２Ｂのウエスト側端縁まで延在していても良い。また、図１４に示す例の吸汗シート２０は、一枚のシート状資材を筒状に折り畳み、内空部に背側ウエスト部弾性伸縮部材１７を挟んでいるが、これに限られるものではなく、図１３（ａ）に示す例と同様の構造としても良い。
【０１４２】
また、図１５に示すように、外面側層（背側外装シート１２Ｂ）全体のウエスト側端縁が吸汗シート２０のウエスト側端部より股間側に位置している形態も採用できる。この場合、ウエスト側端部が吸汗シート２０のみにより構成されるため、シート状資材層数を更に減らすことができるようになり、本発明の蒸れ防止効果がより一層のものとなるとともに、後述する吸汗インジケータ機能を付加した場合にその色変化が視認し易くなる。なお、図１５に示す例の吸汗シート２０は、一枚のシート状資材を筒状に折り畳み、内空部に背側ウエスト部弾性伸縮部材１７を挟んでいるが、これに限られるものではなく、シート状資材を二枚張り合わせて吸汗シート２０を形成するとともに、シート状資材間に背側ウエスト部弾性伸縮部材１７を挟んでも良く、また、背側ウエスト部弾性伸縮部材１７を設けない形態等においては、一枚のシート状資材により形成しても良い。さらに発展させて、図１６に示すように、外面側層（図示例では外側シート状資材１２）のウエスト側端部に、吸汗シート２０を構成する一枚のシート状資材を継ぎ足し、このシート状資材をおむつのウエスト側端縁において内面側（肌側）に折り返し、この折り返し部分と外面側部分との間に背側ウエスト部弾性伸縮部材１７を挟持させることもできる。図示例では、吸汗シート２０の折り返し部分は内装体２００のウエスト側端部を覆う程度まで股間側に延在しているが、これに限られるものではない。
【０１４３】
＜吸汗インジケータ＞
吸汗シート２０は、汗を吸収したときに色変化を起す機能、つまり吸汗インジケータ機能を有するように構成する。これにより、おむつ外面からその色変化を視認することにより発汗の有無等を知ることができ、不快感の解消やかぶれ等の防止を図ることができるようになる。
【０１４４】
このような色変化を起す吸汗シート２０は、例えば、汗との接触により色が変化（無色から有色への変化を含む）するインジケータ物質を吸汗シート２０（好ましくは外面）に付与することにより形成することができる。インジケータ物質の例としては、水分との接触により呈色反応を示すような着色剤や、水分中のｐＨを検知して呈色反応を示すような着色剤を挙げることができる。水分との接触により呈色反応を示すような着色剤としては、水溶性、水分解性染料又はロイコ染料と該ロイコ染料を発色させるフェノール性化合物、酸性物質、電子受容性物質等の顕色剤とからなる着色剤を使用できる。水分中のｐＨを検知して呈色反応を示すような着色剤としては、ブロモフェノールブルー、メチルレッド等の指示薬を使用できる。
【０１４５】
これらのインジケータ物質は、溶媒に分散した状態の塗工液として吸汗シート２０に塗布することができる他、ホットメルト接着剤に含有させた状態であるいは熱可塑性の親水性ポリマーに含有させたホットメルトタイプの化合物として吸汗シート２０に塗布することもでき、後者の場合、吸汗シート２０を外面側層に固定するホットメルト接着剤ＨＭにインジケータ物質を含有させることもできる。なお、インジケータ物質を含有するホットメルト接着剤の塗布量は２０〜３０ｇ／ｍ2であることが好ましい。２０ｇ／ｍ2より少量であるとインジケータとしての機能が損なわれ、３０ｇ／ｍ2より多いと接着剤の硬化によるゴワ付き感が生じる。
【０１４６】
また、吸汗シート２０に、水性インクを用いて模様又は色彩を印刷し、吸汗時に汗の水分により水性インクが滲むことを利用して色変化を発生させるインジケータとすることもできる。この場合、油性インクを組み合わせて用いることで、滲まない模様又は色彩を付与することができる。
【０１４７】
なお、インジケータの着色剤やインクが水分に溶出する特性を有する場合、肌に接する吸汗シート２０から着色剤やインクが肌に転移し、肌が着色してしまうおそれがある。そこで、前述のように、吸汗シート２０を複数層からなる構造とし、その肌に接する層を、撥水性や疎水性の不織布あるいは穴あきフィルムとすると、吸汗シート２０から肌への液の戻りを防止することができるため、肌の着色を防止できるようになる。
【０１４８】
図１７は、吸汗シート２０におけるインジケータ物質付与部分（変色領域）２２の各種形態を示したものである。図１７（ａ）に示す形態はウエスト端部に近づくほど変色領域が大きくなり、かつインジケータ物質による着色が濃くなる形態であり、図１７（ｂ）に示す形態は幅方向中央側ほどインジケータ物質による変色部分の面積が大きくなる形態であり、図１７（ｃ）に示す形態はインジケータ物質により変色する斜線部分が幅方向に複数列設けられているものであり、図１７（ｄ）に示す形態はインジケータ物質により変色する縦線部分が幅方向に複数列設けられているものであり、図１７（ｅ）に示す形態はインジケータ物質により変色する点線状の横線部分が縦方向に間隔を空けて複数列設けられているものである。
【０１４９】
吸汗インジケータ機能を付加する場合、汗を吸収すると外面側からの色が変化する層を複数積層して吸汗シート２０を構成すると、発汗量が少ない場合には汗が外側の層まで到達せず、色変化の発生する層数が少なくなり、反対に発汗量が多い場合には汗がより外側の層まで到達し、色変化の発生する層数が多くなるため、発汗量の多少により吸汗シート２０全体としての色変化に違いが出るようになる。よって、発汗の程度を判別できるようになる。
【０１５０】
外面側層に不織布を用いる場合において吸汗シート２０に吸汗インジケータ機能を付加する場合、外面側層の不織布における酸化チタン含有量が０〜１重量％、特に０〜０．５重量％であると、不透明度が抑えられることにより、吸汗シート２０の色変化が視認し易くなるため好ましい。
【０１５１】
色彩が変化する吸汗インジケータ機能を付加する場合は、ウエスト部弾性伸縮部材２１には酸化チタン含有量が３重量％以下、好ましくは１重量％以下、より好ましくは酸化チタン含有量が０重量％の合成ゴム（ポリウレタン樹脂）を用い、吸汗シートのインジケータの少なくとも一部がウエスト部弾性伸縮部材２１と接触するように配置すると、吸汗インジケータの色変化の視認の妨げにならないだけでなく、透明度の高い樹脂内の光の乱反射により、インジケータの色彩がより鮮やかに視認できるため、好ましい。またこの場合は、前述のインジケータ物質を含むホットメルト接着剤あるいはホットメルト化合物を弾性伸縮部材２１に直接塗布すると、乱反射による効果がより鮮やかなものとなる。この場合、弾性伸縮部材２１の太さは、６２０ｄｔｅｘ以上のものが好ましく、９２５ｄｔｅｘ以上のものがより好ましく、弾性伸縮部材２１の主におむつ内面側の面にインジケータを塗布することが好ましい。
【０１５２】
前述の止着式使い捨ておむつの形態において、あるいはパンツ型おむつの形態で吸汗シート２０が内装体２００のウエスト側端部までを覆うように延在する場合においては、液不透過性シート１１の内側に設ける排泄インジケータ８０を、液不透過性シート１１のウエスト側端部にまで延在させてもよい。このように構成すると、排泄インジケータ８０と吸汗シート２０との間には液透過性のシートしか存在しないため、吸汗シート２０に吸収された汗は排泄インジケータ８０にまで浸透する。よって、インジケータ８０は汗の接触によって模様あるいは色彩が変化する、吸汗インジケータとしても機能することができる。こうすると、吸汗インジケータと排泄インジケータを個別に設ける必要が無い点で好ましい。またこの場合、排泄インジケータ８０はウエスト側端部にまで延在し、吸収体の存在しない端部フラップ部にも設けられることになるが、吸汗シート２０によって被覆されているため、インジケータの色素が水分に溶出してトップシート３０側に滲出しても、着用者の肌には付着し難い。そして、前述のように、吸汗シート２０を複数層からなる構造とし、その肌に接する層を、撥水性や疎水性の不織布あるいは穴あきフィルムとすると、吸汗シート２０から肌への液の戻りを防止することができるため、肌の着色防止の効果はより一層のものとなる。
【０１５３】
＜他の応用例：吸汗シートの抗菌に関して＞
吸汗シート２０には抗菌剤を含有させることができ、特に肌と接触する内面に含有させるのが好ましい。抗菌剤としては、第４級アンモニウム塩や、繊維金属を含む錯体、塩、アルカリ及び酸等、公知のものを用いることができる。
【０１５４】
＜他の応用例：吸汗シートによる冷却に関して＞
吸汗シート２０による吸汗には限界がある。よってこれを補うために、図１８に示すように汗との接触により熱を吸収する冷却物質２５を吸汗シート２０に含有させ、発汗を抑制するのは好ましい。冷却物質２５は吸汗シート２０の全体に含有されているのが好ましいが、一部のみ、例えば周縁部を除く主要部分のみや、幅方向中央部のみに含有されていても良い。
【０１５５】
冷却物質２５は、汗に接触して溶解熱、水和熱、又は反応熱等により熱を吸収又は放出し、汗を冷却又は加熱するものである。汗への溶解により熱を吸収する冷却物質２５の例としては、酢酸ナトリウム、炭酸ナトリウム、硫酸ナトリウム、チオ硫酸ナトリウム、リン酸ナトリウム等の含水塩、硝酸アンモニウム、硝酸カリウム、塩化アンモニウム、塩化カリウム、硝酸ナトリウム等の無水塩、尿素、キシリトール、ソルビトール等の糖アルコール等を挙げることができる。本発明では、これらのうち、吸熱作用を発現するソルビトール、キシリトールなどの糖アルコール又は汗素などの有機化合物を使用することが好ましい。特にソルビトールやキシリトールは、溶解性に極めて優れ、化学的安定性が良く、人体に悪影響を及ぼさないため、好適に使用できる。汗への溶解により吸熱する物質を用いる場合、汗への溶解度が低いと、十分な温度変化を発揮できないため、温度２０℃の１００ｍｌの水への溶解度が３０ｇ以上、特に５０ｇ以上であるものが好ましい。また、２０ｃａｌ／ｇ以上の温度変化を生じるものが好ましく、３５ｃａｌ／ｇ以上の温度変化を生じるものがより好ましい。
【０１５６】
吸熱反応を起す冷却物質２５のうちパラフィン等のように固体から液体への相変化を起すものはマイクロカプセル又は包接体内に封入するのが望ましい。この場合におけるマイクロカプセルのシェル物質としてはメラミン樹脂やウレタン樹脂を用いることができる。また、マイクロカプセルの粒径としては、０．５〜１０μｍ程度が好適である。包接化合物としてはシクロデキストリンやゼオライト等を用いることができる。
【０１５７】
冷却物質２５は、粒子状（粉体状含む）のものが好適に用いられるが、繊維状、シート状等の他の形状のものを用いることもできる。
【０１５８】
吸汗シート２０における冷却物質２５の保持構造は適宜定めることができるが、例えば、図１８に示す例のように吸汗シート２０を表裏層２６，２７及びこれらの間の中層２８からなる三層構造とし、中層２８に冷却物質２５を含有させたり、図示しないが吸汗シート２０を袋状や筒状に形成してその内部に冷却物質２５を封入したりすることができる。また、これらとは別に又はこれらと組み合わせて、冷却物質２５をホットメルト接着剤等の接着剤により又は冷却物質２５自体の溶融により吸汗シート２０の表面又は内部に付着させたりすることができる。
【０１５９】
冷却物質２５による冷却を図る上で、冷却物質２５と接触して冷却された汗の挙動は重要である。すなわち、冷却された汗が吸汗シート２０全体に、さらにトップシート３０を伝って吸収体５６に分散され易いと、冷却効果が持続し難くなる。よって、吸汗シート２０に高吸収性ポリマー等の高吸収性材料を配置する場合は、吸汗シート２０における肌側面（表層表面）近傍に配置し、冷却物質２５により冷却された汗を肌近傍に止め、冷却効果の持続性を向上させるのが好ましい。例えば、図示の三層構造の場合、冷却物質２５を含む中層２８を二層構造とし、肌側を高吸収性材料２９を含む層、、反対側を冷却物質２５を含む層としたり、図示しないが中層２８を冷却物質２５と高吸収性材料２９とを混合して形成したりすることができる。高吸収性材料２９として特に好ましいのは高吸収性ポリマーであり、前述した吸収体５６中に含有させるものと同様のものを用いることができるが、特にＪＩＳ  Ｋ  ７２２４に基づく吸水速度が５０秒以下のものが好適である。吸水速度が遅いと、冷却された汗が分散し易くなる。
【０１６０】
図１８に示す例のような三層構造においては、表裏各層２６，２７を薄葉紙や不織布等の液透過性繊維集合シートで形成することができる。表裏各層２６，２７としては、前記包被シート５８と同様のものを用いてもよく、また、溶着による接合を可能とするため、熱融着性繊維を有するものも好ましい。特に肌当接面である表層２６には、コットン繊維を含む不織布を用いるのが好ましい。コットンは吸油性を有するため、肌をサラサラに保つことがで、吸汗性との相乗効果で肌をより快適に保つことが可能となる。具体的にコットン繊維を含む不織布としては、コットン繊維を含むスパンレース不織布が柔軟性や吸収性の面で好適である。また、十分な冷却効果を得るためには、次の条件を満足するように構成するのが好ましい。
表層（肌側層）２６の素材：コットン繊維を含むスパンレース不織布
表層２６の厚み：０．１〜０．５ｍｍ
表層２６の目付け：１０〜４５ｇ／ｍ2
中層２８の素材：肌側から順に高吸収性ポリマー（高吸収性材料２９）、冷却物質２５、さらに、これらの層間あるいは周囲にパルプ繊維や合成繊維等の繊維材料を含んでもよい
冷却物質２５の種類：汗への溶解により吸熱反応を起すもの。
冷却物質２５の溶解度（温度２０℃の１００ｍｌの水に対する）：３０ｇ以上、特に５０ｇ以上
冷却物質２５の目付け：３０〜１００ｇ／ｍ2
冷却物質２５により吸汗シート２０に生じうる熱量変化の総量：３０ｃａｌ以上、特に１００ｃａｌ以上
中層２８の高吸収性ポリマー２９の吸収速度：７０秒以下、特に５０秒以下
中層２８の高吸収性ポリマー２９の目付け：２０〜１５０ｇ／ｍ2
【産業上の利用可能性】
【０１６１】
本発明は、上記例のような止着式使い捨ておむつやパンツ型使い捨ておむつに好適なものであるが、他の形態の使い捨ておむつにも適用できるものである。例えば、パンツ型使い捨ておむつでは、上記例のような腹側外装シートと背側外装シートが離間された構造に限らず、腹側から股間部を経て背側に至る一体的な外装シートを有する構造も当然含み、また、おむつカバー型のおむつとパッド型のおむつを組み合わせて用いるようなその他の形状の使い捨ておむつにも適用可能である。
【図面の簡単な説明】
【０１６２】
【図１】止着式使い捨ておむつの展開状態平面図である。
【図２】図１の２−２線断面図である。
【図３】図１の３−３線断面図である。
【図４】パンツ型使い捨ておむつの内面を示す、おむつを展開した状態における平面図である。
【図５】パンツ型使い捨ておむつの外面を示す、おむつを展開した状態における平面図である。
【図６】図１の６−６断面図である。
【図７】図１の７−７断面図である。
【図８】図１の８−８断面図である。
【図９】パンツ型使い捨ておむつの要部のみを寸法とともに示す、おむつを展開した状態における平面図である。
【図１０】パンツ型使い捨ておむつの要部のみを寸法とともに示す、断面図である。
【図１１】製品状態の正面図である。
【図１２】製品状態の背面図である。
【図１３】他の形態を示す要部拡大断面図である。
【図１４】他の形態を示す要部拡大断面図である。
【図１５】他の形態を示す要部拡大断面図である。
【図１６】他の形態を示す要部拡大断面図である。
【図１７】各種の吸汗インジケータの形態を示す概略図である。
【図１８】吸汗シートの他の形態を示す要部拡大断面図である。
【符号の説明】
【０１６３】
１０…吸収性本体部、１１…液不透過性シート、１２…外装シート、２０…吸汗シート、３０…トップシート、４０…中間シート、５０…吸収要素、５２…繊維、５４…高吸収性ポリマー粒子、５６…吸収体、５８…包被シート、６０…側部バリヤーカフス、６２…バリヤーシート。
【図１】
0005119003.tif 000002
【図２】
0005119003.tif 000003
【図３】
0005119003.tif 000004
【図４】
0005119003.tif 000005
【図５】
0005119003.tif 000006
【図６】
0005119003.tif 000007
【図７】
0005119003.tif 000008
【図８】
0005119003.tif 000009
【図９】
0005119003.tif 000010
【図１０】
0005119003.tif 000011
【図１１】
0005119003.tif 000012
【図１２】
0005119003.tif 000013
【図１３】
0005119003.tif 000014
【図１４】
0005119003.tif 000015
【図１５】
0005119003.tif 000016
【図１６】
0005119003.tif 000017
【図１７】
0005119003.tif 000018
【図１８】
0005119003.tif 000019